(57)【要約】      （修正有）【課題】電気機器に接続してい長い電源コードをスッキリと収納しながら、電源プラグを介して定位置に固定できる電源コードの収納箱を提供する。【解決手段】電源コードの収納箱１は電源コードを出し入れできる開口部５を有し、この開口部５には電源コードを収納する状態で開口部５を閉塞する開閉蓋８を有する。さらに、この収納箱１を貫通して、収納する電源コードに接続している電源プラグのプラグ刃を挿通する２列のプラグ刃スリット６を設けており、このプラグ刃スリット６に電源プラグのプラグ刃を挿入して、電源コンセントに固定される電源プラグで収納箱１を電源コンセントに脱着自在に装着できる。【選択図】図１
2008123920.tif 000002
【特許請求の範囲】
【請求項１】
先端に電源プラグ(P)を接続している電源コードの収納箱(1)であって、この収納箱(1)は電源コード(C)を出し入れできる開口部(5)を有し、この開口部(5)には電源コード(C)を収納する状態で開口部(5)を閉塞する開閉蓋(8)を設けており、さらに、この収納箱(1)を貫通して、収納する電源コード(C)に接続している電源プラグ(P)のプラグ刃(B)を挿通する２列のプラグ刃スリット(6)を設けており、このプラグ刃スリット(6)に電源プラグ(P)のプラグ刃(B)を挿入して、電源コンセント(O)に固定される電源プラグ(P)で収納箱(1)を電源コンセント(O)に脱着自在に装着するようにしてなる電源コードの収納箱。
【請求項２】
収納箱(1)の底板(2)にプラグ刃スリット(6)を設けて、収納箱(1)の背面を開口部(5)としている請求項１に記載される電源コードの収納箱。
【請求項３】
収納箱(1)が四角形、円形、楕円形の箱形である請求項１に記載される電源コードの収納箱。
【請求項４】
複数のプラグ刃スリット(6,6b)を有することを特徴とする請求項１に記載される電源コードの収納箱。
【請求項５】
電源コードの収納箱(1c)を有するテーブルタップ(10)であって、収納箱(1c)は、電源コンセント(O)に脱着自在に連結される連結プラグ刃(12)を突出して設けており、この連結プラグ刃(12)を電源コンセント(O)に連結して、収納箱(1c)を電源コンセント(O)に脱着自在に連結する構造としており、さらに、前記収納箱(1c)は、複数の外部プラグ(P1)を脱着自在に連結するテーブルタップ本体(11)を内部に収納して、このテーブルタップ本体(11)を連結プラグ刃(12)に電気接続しており、
また、前記収納箱(1c)は、内部に収納しているテーブルタップ本体(11)に接続される複数の外部プラグ(P1)とこれに連結している外部コード(C)を収納できる箱形であって、外部プラグ(P1)と外部コード(C)を出し入れできる開口部(5)を設けて、この開口部(5)に開閉蓋(8)を設けており、
連結プラグ刃(12b)を電源コンセント(O)に挿入して、収納箱(1c)を電源コンセントに連結する状態で、複数の外部プラグ(P1)が収納箱内のテーブルタップ本体(11)に脱着自在に連結され、テーブルタップ本体(11)に連結される外部プラグ(P1)とこれに連結している外部コード(C)とを収納箱(1c)に入れて開閉蓋(8)を閉じて内部に収納するようにしてなる収納箱(1c)を有するテーブルタップ。
【請求項６】
電源コードの収納箱(1c)を有するテーブルタップ(10b)であって、複数の外部プラグ(P1)を脱着自在に連結するテーブルタップ本体(11)が収納箱(1c)の内部に配設されると共に、テーブルタップ本体(11)は、収納箱(1c)から引き出される電源コード(C2)に接続されて、この電源コード(C2)の先端に連結プラグ(P2)を連結しており、連結プラグ(P2)を電源コンセント(O)に接続して、テーブルタップ本体(11)に電力を供給する構造としており、
さらに、収納箱(1c)は、テーブルタップ本体(11)に脱着自在に接続される複数の外部プラグ(P1)とこれに接続している外部コード(C)を収納できる箱形であって、外部プラグ(P1)と外部コード(C)を出し入れできる開口部(5)を有し、この開口部(5)には、外部プラグ(P1)と外部コード(C)を収納する状態で開閉できる開閉蓋(8)を設けており、
連結プラグ(P2)が電源コンセント(O)に挿入されて、収納箱(1c)内のテーブルタップ本体(11)に電力を供給する状態で、複数の外部プラグ(P1)が収納箱(1c)内のテーブルタップ本体(11)に脱着自在に連結され、テーブルタップ本体(11)に連結される外部プラグ(P1)とこれに連結している外部コード(C)とを収納箱(1c)に入れて開閉蓋(8)を閉じて内部に収納するようにしてなる収納箱(1c)を有するテーブルタップ。
【発明の詳細な説明】
【技術分野】
【０００１】
本発明は、先端に電源プラグを接続している電源コードを収納する収納箱と、電源コードの収納箱を有するテーブルタップに関する。
【背景技術】
【０００２】
家庭用の商用電源を電源に使用する電気機器は、先端に電源プラグを接続している電源コードを設けている。また、電源用の延長コードも一端に電源プラグを、他端にテーブルタップを接続している。これらの電源コードは、使用環境によって最適な長さが異なるが、あらゆる用途に便利に使用できる長さとしている。このため、ほとんどの使用状態において、電源コードが長すぎて邪魔になり、またスッキリと配線できな欠点がある。また、台所で使用される換気扇などにあっては、電源コードに油汚れが付着して汚くなり、また不衛生となる欠点がある。さらに、電源コードに付着した油汚れは簡単に除去できず、綺麗に除去するのに極めて手間がかかる欠点がある。この欠点は、電子機器に、電源コードの引き出し量を調整できるよう機構を設けて解消できる。電源コードの引き出し量を調整できる構造は、たとえば天井から吊り下げて使用する照明器具、掃除機、ドライヤー等に採用される。照明器具は、電源コードの引き出し量を調整して、上下位置をコントロールする。掃除機やドライヤーは、使用しないときに、電源コードを収納することができる。この構造の電気機器は、収納部を設けるために、それ自体の構造が複雑になって製造コストが高くなる。また、収納部を設けるので外形も大きくなる。このことから、電源コードの収納部は、多くの電気機器に設けられないのが実情である。
【０００３】
電気機器を接続する延長コードも長い電源コードが邪魔になる。この欠点を解消するために、長すぎる電源コードを収納する収納箱を設けたテーブルタップが開発されている。（特許文献１参照）
【特許文献１】実用新案登録第３０９４４１４号
【発明の開示】
【発明が解決しようとする課題】
【０００４】
特許文献１のテーブルタップは、電源コードの引き出し量を調整できるよう収納する収納箱を備える。このテーブルタップは、長すぎる電源コードを収納して、最適な長さに調整できる。このため、テーブルタップの電源コードをスッキリと収納できる。ただ、この構造のテーブルタップは、これに接続される電気機器の電源コードを収納できない。このため、テーブルタップに電気機器を接続する状態で、電気機器に連結している電源コードを収納できない。このため、このテーブルタップは、たとえば、換気扇を電源コンセントに接続する状態で使用されて、換気扇の電源コードを収納することはできない。また、テーブルタップは延長コードとして使用され、またひとつの電源コンセントに複数の電気機器を接続するために使用される。複数の電気機器を接続できるテーブルタップは、複数の電源プラグを接続すると、各々の電源プラグに連結している電源コードが収納箱を定位置には固定できない。また、換気扇などの電気機器に接続している長い電源コードをスッキリと収納できない欠点もある。
【０００５】
また、机の上にパソコン、プリンター、電話、ファックス等の事務機器を備えた最近の事務所では、これらに接続する多数の電源コードを机の裏等に乱雑に置かれてスッキリと綺麗に配置ですぎ、またホコリがたまり掃除もできない等の欠点がある。この欠点は、種々の事務機に接続される電源コードを床下に配線して解消できる。ただ、床下配線は、新しい建物には設置できるが、古い建物の改築には極めて手間と費用がかることから、多くの建物にあっては改築が難しい。
【０００６】
本発明は、さらにこの欠点を解決することを目的に開発されたものである。本発明の重要な目的は、電気機器に接続してい長い電源コードをスッキリと収納できる電源コードの収納箱と収納箱を有するテーブルタップを提供することにある。
また、本発明は、電源プラグを介して定位置に固定することもできる電源コードの収納箱とテーブルタップを提供することにある。
【課題を解決するための手段】
【０００７】
本発明の電源コードの収納箱は、前述の目的を達成するために以下の構成を備える。
本発明の請求項１の電源コードの収納箱は、先端に電源プラグに接続している電源コードの収納箱であって、この収納箱は電源コードを出し入れできる開口部を有し、この開口部には電源コードを収納する状態で開口部を閉塞する開閉蓋を設けており、さらに、この収納箱を貫通して、収納する電源コードに接続している電源プラグのプラグ刃を挿通する２列のプラグ刃スリットを設けており、このプラグ刃スリットに電源プラグのプラグ刃を挿入して、電源コンセントＯに固定される電源プラグで収納箱を電源コンセントに脱着自在に装着できる。
【０００８】
本発明の第２の電源コードの収納箱は、請求項１に構成に加えて、収納箱の底板にプラグ刃スリットを設けて、収納箱の背面を開口部している。この収納箱は、電源プラグで電源コンセントに連結される状態で、背面を開口部して電源コードを便利に収納できる。
【０００９】
本発明の請求項３の電源コードの収納箱は、請求項１の構成に加えて、収納箱を四角形、円形、楕円形の箱形とする。
【００１０】
本発明の請求項４の電源コードの収納箱は、請求項１の構成に加えて、複数のプラグ刃スリットを有する。この収納箱は、形状のことなる電源プラグで電源コンセントに連結でき、また、電源プラグで収納箱を電源コンセントに連結する位置を最適位置に変更できる。
【００１１】
本発明の請求項５のテーブルタップは、電源コードの収納箱を有し、この収納箱は、電源コンセントに脱着自在に連結される連結プラグ刃を突出して設けており、この連結プラグ刃を電源コンセントに連結して、収納箱を電源コンセントに脱着自在に連結する構造としている。さらに、この収納箱は、外部プラグを脱着自在に連結するテーブルタップ本体を内部に収納して、このテーブルタップ本体を連結プラグ刃に電気接続している。また、収納箱は、内部に収納しているテーブルタップ本体に接続される複数の外部プラグとこれに連結している外部コードを収納できる箱形であって、外部プラグと外部コードを出し入れできる開口部を設けて、この開口部に開閉蓋を設けている。このテーブルタップは、連結プラグ刃を電源コンセントに挿入して、収納箱を電源コンセントに連結する状態で、複数の外部プラグが収納箱内のテーブルタップ本体に脱着自在に連結され、テーブルタップ本体に連結される外部プラグとこれに連結している外部コードとを収納箱に入れて開閉蓋を閉じて内部に収納する。
【００１２】
また、本発明の請求項６のテーブルタップは、電源コードの収納箱を有し、この収納箱の内部に、外部プラグを脱着自在に連結するテーブルタップ本体を配設している。テーブルタップ本体は、収納箱から引き出される電源コードに接続されて、この電源コードの先端に連結プラグを連結している。連結プラグが電源コンセントに接続されて、テーブルタップ本体に電力が供給さされる構造としている。さらに、収納箱は、テーブルタップ本体に脱着自在に接続される複数の外部プラグとこのれに接続している外部コードを収納できる箱形であって、外部プラグと外部コードを出し入れできる開口部を有し、この開口部には、外部プラグと外部コードを収納する状態で開閉できる開閉蓋を設けている。このテーブルタップは、連結プラグを電源コンセントに挿入して、収納箱内のテーブルタップ本体に電力を供給する状態とし、複数の外部プラグを収納箱内のテーブルタップ本体に脱着自在に連結し、テーブルタップ本体に連結される外部プラグとこれに連結している外部コードとを収納箱に入れて開閉蓋を閉じて内部に収納する構造としている。
【発明の効果】
【００１３】
本発明の請求項１に記載する電源コードの収納箱は、電気機器に接続している長い電源コードをスッキリと収納でき、しかも収納する電源コードの先端に接続している電源プラグでもって、定位置に固定できる特徴がある。それは、本発明の収納箱が、電源コードを出し入れできる開口部を設けて、ここを開閉蓋で開閉できる構造とし、さらに、収納箱を貫通して、電源プラグのプラグ刃を挿通する２列のプラグ刃スリットを設けているからである。この収納箱は、電源コードを収納し、さらに収納している電源コードの先端に接続している電源プラグのプラグ刃をプラグ刃スリットに貫通して、電源コンセントに挿入して、電源プラグを介して電源コンセントに固定される。この構造の収納箱は、とくに台所用の換気扇の電源コードの収納に極めて便利に使用できる。それは、換気扇の電源コードを収納箱に入れ、この電源コードの先端の電源プラグを電源コンセントに挿入して、電源プラグでもって収納箱を電源コンセントに固定できるからである。この状態で収納箱に内蔵される電源コードは、台所で発生する油汚れから有効に保護される。また、収納箱を電源コンセントに固定して、スッキリと邪魔にならない位置に固定できる。必要なときは、電源プラグを電源コンセントから引き抜いて、収納箱を簡単に脱着できる。
【００１４】
本発明の請求項５のテーブルタップは、これに接続される電気機器の長い電源コードをスッキリと収納でき、しかも収納箱に内蔵するテーブルタップ本体を電源コンセントに電気接続するために収納箱に設けている連結プラグ刃でもつて、収納箱を定位置に固定できる特徴がある。それは、本発明のテーブルタップが、外部プラグを連結するためのテーブルタップ本体を収納箱の内部に収納すると共に、この収納箱には、電源コンセントに脱着自在に連結される連結プラグ刃を突出して設けて、連結プラグ刃をテーブルタップ本体に電気接続し、さらに、収納箱を、テーブルタップ本体に接続される複数の外部プラグとこれに連結している外部コードを収納できる箱形とし、外部プラグと外部コードを出し入れできる開口部を設けて、この開口部に開閉蓋を設けているからである。このテーブルタップは、連結プラグ刃を電源コンセントに挿入して、収納箱が電源コンセントに連結され、この状態で、複数の外部プラグを収納箱内のテーブルタップ本体に脱着自在に連結して、テーブルタップ本体に連結される外部プラグとこれに連結している外部コードとを収納箱に入れて開閉蓋を閉じて内部に収納する。
【００１５】
また、本発明の請求項６のテーブルタップは、これに接続される電気機器の長い電源コードをスッキリと収納できる特徴がある。それは、本発明のテーブルタップが、複数の外部プラグを連結するテーブルタップ本体を収納箱の内部に配設して、このテーブルタップ本体には、収納箱から引き出される電源コードを接続してその先端に連結プラグを連結しており、さらに、収納箱は、テーブルタップ本体に脱着自在に接続される複数の外部プラグとこのれに接続している外部コードを収納できる箱形であって、外部プラグと外部コードを出し入れできる開口部を有し、この開口部には、外部プラグと外部コードを収納する状態で開閉できる開閉蓋を設けているからである。このテーブルタップは、連結プラグを電源コンセントに挿入して、収納箱内のテーブルタップ本体に電力を供給する。この状態で、複数の外部プラグを収納箱内のテーブルタップ本体に脱着自在に連結し、テーブルタップ本体に連結される外部プラグとこれに連結している外部コードとを収納箱に入れて開閉蓋を閉じて内部に収納する。
【００１６】
さらに、請求項５と６のテーブルタップは、複数の外部コードを収納箱に収納してスッキリと配線できる。このため、この構造のテーブルタップを使用すると、床下配線などの複雑な建物構造とすることなく、机の上にパソコン、プリンター、電話、ファックス等の多数の事務機器を配置して、これらに接続される外部コードの余分な部分を収納箱に収納して、スッキリと綺麗に配線できる特徴がある。とくに、テーブルタップに外部コードを収納するので、床下配線などの複雑な建物構造とする必要がなく、既存の建物を改築することなく、多数の機器をテーブルタップに接続して、多数の配線をスッキリと収納できる特徴がある。
【発明を実施するための最良の形態】
【００１７】
以下、本発明の実施例を図面に基づいて説明する。ただし、以下に示す実施例は、本発明の技術思想を具体化するための  を例示するものであって、本発明は電源コードの収納箱と収納箱を有するテーブルタップを以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。さらに以下の説明において、同一の名称、符号については同一もしくは同質の部材を示しており、詳細説明を適宜省略する。
【実施例１】
【００１９】
（構造）
実施例１における電源コードの収納箱１の斜視図を図１に示す。この収納箱１は、四角形の面から構成された略直方体状をなす。また、収納箱１は、開口部５を有しており、この開口部５を閉塞可能な開閉蓋８が備わる。図２は電源コードの収納箱１であって、開閉蓋８を開放し内部が視認できる状態の斜視図である。電源コードの収納箱１は、収納箱１を閉塞した状態で、開閉蓋８と対面する底板２を備える。つまり底板２の背面側に開口部５が位置する。この底板２の長手方向における一端領域に、電源プラグのプラグ刃を挿通可能な２列のプラグ刃スリット６が形成されている。ただ、プラグ刃スリット６の形成位置はこれに限定されず、中央領域でも構わない。また、プラグ刃スリット６の切り込みの長さ及び幅は、プラグ刃において、電源プラグの挿入方向と直交する方向における、プラグ刃の高さ、及び厚みよりもわずかに大きいものとする。これにより後述する電源プラグと電源コンセントによる収納箱１の狭着を安定したものにし、また電源プラグの脱着が容易にできる。
【００２０】
また、底板２の長手方向における両端において、垂直方向に天板３及び下板４が連結される。実施例１ではプラグ刃スリット６に近接する側を天板３とし、この天板３の対向面を下板４とした。図２に示すように、下板４には開口部５から連通するコードスリット７が形成される。このスリット７は、後述するが、電源コードが挿通するため、少なくとも電源コードの幅を有するものとする。
【００２１】
（使用方法）
以下に実施例１における電気機器の電源コードの収納箱１の使用方法を説明する。図３〜６は、電気機器の一例として換気扇Ｆの電源コードＣの収納方法を説明する説明図である。
【００２２】
図３に示すように、収納箱１の開閉蓋８を開放した状態で、収納箱１のプラグ刃スリット６に、電源プラグＰのプラグ刃Ｂを収納箱１の内側から貫通させる。さらに図４に示すように、電源プラグＰと連結した電源コードＣの一部を収納箱１内に収納し、さらに電源コードＣを収納箱１のコードスリット７に挿通させる。収納する電源コードＣの量は、収納箱１より露出される電源コードＣが適当な長さになるよう調節して決定すればよい。このように電源コードＣの一部を収納箱１に入れた状態で、開閉蓋８は収納箱１を閉塞することができる。
【００２３】
図５に示すように、開閉蓋８により閉塞された収納箱１において、内部には電源コードＣの一部が収納されており、プラグ刃スリット６より電源プラグＰが突出される。また電源コードＣはコードスリット７を挿通して換気扇Ｆに接続される。つまり、収納箱１により、換気扇Ｆに連結している長い電源コードＣをすっきりと収納できる。さらに、プラグ刃スリット６より突出している電源プラグＰは、電源コンセントＯに差し込まれる。電源プラグＰが電源コンセントＯに嵌合されると、電源プラグＰに挿通された収納箱１が、電源プラグＰと電源コンセントＯに挟まれて係止めされる。つまり電源コードの収納箱１は電源コンセントＯに当接して固定される。
【００２４】
このような構造を備える電源コードの収納箱１は、電源コンセントＣが汚れたり損傷したりするのを防止する他、収納箱１を定位置に固定できるため、電源コードＣと収納箱１の両方が邪魔にならない。また、電源プラグＰを電源コンセントＣから引き抜くことで、電源コードの収納箱１を容易に分離させることができる。
【００２５】
（材質）
電源コードの収納箱１の素材は弾性材料のほか、アルミ材や厚紙又はプラスチック（例えば、ＰＥＴ）等の軽量又は薄い非導電性材料が好ましい。これにより電源コンセントＣと電源プラグＰとの密着性が高まり、ひいては収納箱１をしっかりと狭着できる。具体的には、紙製であればコストを低減できる他、使い捨てにすることで台所での油汚れ等をが付着した収納箱１を掃除する手間が省ける。またプラスチックであれば軽量であるため、収納箱１が所定の位置に安定して固定できる上、洗浄することで繰り返し使用することができる。さらに材質に蛍光体物質を混入させたり、或いはセンサーに対応したランプや音声発生器等を付加することで、光や音により電源コンセントＣの位置を知らせることができる。
【実施例２】
【００２６】
また、電源コードの収納箱には、プラグ刃スリットを複数設けることもできる。図７に、実施例２における電源コードの収納箱１ｂの斜視図を示す。この収納箱１ｂは、プラグ刃スリット以外の構造は、実施例１の電源コードの収納箱１と同様であるため、説明を省略する。実施例２の電源コードの収納箱１ｂは、底板２上に、実施例１の収納箱１と同様のプラグ刃スリット６を備える。また、このプラグ刃スリット６の下側（図７における下側）であって、プラグ刃スリット６のほぼ延長線上に、さらなるプラグ刃スリット６ｂが備わる。このプラグ刃スリット６ｂは、実施例１のプラグ刃スリット６よりも切り込みの長さが長い。その他は同様の機能を有するが、便宜上、プラグ刃長スリット６ｂと称する。
【００２７】
実施例２の電源コードの収納箱１ｂを使用すれば、２つの電気機器のそれぞれの電源コードを収納箱１ｂに収納し、各プラグ刃をプラグ刃スリット６、プラグ刃長スリット６ｂに挿通することで、電源コンセント口を２つ有する二口電源コンセントに、各電源プラグを連結させることができる。ただ、二口電源コンセントは、製造メーカーにより各電源コンセント間の離間距離が異なる。実施例２の電源コードの収納箱１ｂにおいては、プラグ刃長スリット６ｂの長い切り込みが、各電源コンセント間の離間距離の差をカバーできるゆとりの長さ分を有しており、多種の二口電源コンセントに対応できる。同様の原理で、プラグ刃スリットの数を増加させることで、２つ以上の複数の口を有する電源コンセントに対応できる。
【００２８】
また、実施例１及び２の電源コード収納箱１、１ｂは、その形状を略直方体に限定しない。断面形状を、三角形や四角形等の多角形、或いは円や楕円等の曲率を帯びたものにすることも可能である。さらには、その外形を、例えば昆虫や星形など所望の形状を伴ったものにして意匠的なおもしろさも付加できる。また、別個に形成された、上記のような形状のケースを、電源コードの収納箱１、１ｂの外側に装着することも可能である。ケースを脱着可能なものにすれば、種々の外形に変化可能となり、機能面及び意匠面共に優れた電源コードの収納箱となる。
【００２９】
さらに、電源コードの収納箱は、電源等に接続する電気コードの他、電線、信号ケーブル、ＬＡＮケーブル、電話線など、断面積が比較的小さく、可撓性を有する絶縁されたケーブルをも収納可能である。
【実施例３】
【００３０】
実施例３に係るテーブルタップ１０を図８、９に示す。図８はテーブルタップ１０の内部が可視される斜視図、図９は外観の斜視図である。図８、９に示すテーブルタップ１０は、これに接続される電気機器の電源コードを収納する収納箱１ｃを有する。収納箱１ｃは、複数の外部プラグを脱着自在に連結するテーブルタップ本体１１を内部に収納している。テーブルタップ本体１１に電力を供給するために、図９のテーブルタップ１０は、収納箱１ｃに、電源コンセントに脱着自在に連結される連結プラグ刃１２を突出して設けている。連結プラグ刃１２は、テーブルタップ本体１１に電気接続している。すなわち、連結プラグ刃１２は、テーブルタップ本体１１に内蔵されて、外部プラグＰ１のプラグ刃Ｂに電気接続される弾性接点（図示せず）に電気接続している。さらに、連結プラグ刃１２は、折り畳みできるように収納箱に連結される。折り畳みできる連結プラグ刃１２は、収納箱１ｃから突出する状態で電源コンセントＯに挿入される。連結プラグ刃１２を使用しない状態で、連結プラグ刃１２は、収納箱から突出しない状態に折り畳まれる。さらに、この連結プラグ刃１２は、テーブルタップ本体１１を電源コンセントＯに電気接続することにくわえて、収納箱１ｃを電源コンセントＯに脱着自在に連結する。
【実施例４】
【００３１】
実施例４に係るテーブルタップ１０ｂを図１０に示す。実施例４のテーブルタップ１０ｂは実施例３のテーブルタップ１０と同様の収納箱１ｃを有するが、実施例４のテーブルタップ１０ｂは、収納箱１ｃに連結する連結プラグ刃１２（図９参照）では電源コンセントＯに接続されない。このテーブルタップ１０ｂは、電源コンセントＯに接続するために、収納箱１ｃに内蔵されるテーブルタップ本体１１に電源コードＣ２を接続している。この電源コードＣ２は、テーブルタップ本体１１に接続される外部プラグＰ１のプラグ刃Ｂに電気接続される弾性接点（図示せず）に接続している。テーブルタップ本体１１に接続している電源コードＣ２は、収納箱１ｃから引き出されて、先端に連結プラグＰ２を接続している。連結プラグＰ２は電源コンセントＯに接続されて、テーブルタップ本体１１、正確にはテーブルタップ本体１１の弾性接点に電力を供給する。
【００３２】
実施例３及び４の収納箱１ｃは、図８または１０に示すように、複数の外部プラグＰ１を脱着自在に連結できるテーブルタップ本体１１を内部に収納している。図の収納箱１ｃは、上部にテーブルタップ本体１１を収納している。テーブルタップ本体１１は、複数の外部プラグＰ１を連結できるように、上面と内側面とに、プラグ刃Ｂを挿入するスリット６を設けている。このスリット６の内部には、プラグ刃Ｂに電気接続される弾性接点（図示せず）を内蔵している。この形状のテーブルタップ本体１１は、収納箱１ｃを浅くして、種々の形状の外部プラグＰ１を収納できる。それは、図８または１０に示すように、プラグ刃ＢがコードＣに対して直角に突出するＬ字状の外部プラグＰ３は、テーブルタップ本体１１の上面のスリット６ｃに挿入して連結し、また、プラグ刃Ｂがコードの方向に突出する通常の外部プラグＰ１は、テーブルタップ本体の側面に設けているスリット６ｄに挿入できるからである。
【００３３】
図１１に示すように、実施例３及び４に係る収納箱１ｃは、内部に収納しているテーブルタップ本体１１に接続される複数の外部プラグＰ１とこれに連結している外部コードＣを収納できる箱形としている。さらに、図１１の収納箱１ｃは、テーブルタップ本体１１に連結される各々外部コードＣを分離して収納できるように、隣接して設けられる一対のスリットの間に隔壁１３を設けて、内部を複数の区画室１４に分離している。この構造の収納箱１ｃは、テーブルタップ本体１１に複数の電気機器の外部プラグＰ１を連結し、各々の外部プラグＰ１の外部コードＣを分離して、区画室１４に収納できる。さらに、収納箱１ｃは、外部プラグＰ１と外部コードＣを出し入れできる開口部５を設けて、この開口部５には開閉蓋８を設けている。図の収納箱１ｃは、全体の形状を四角形の箱形として、背面を開口してここに開閉蓋８を設けている。図の開閉蓋８は、上縁を折曲できるように収納箱１ｃに連結して、開閉できる構造としている。
【００３４】
図８及び９に示す実施例３のテーブルタップ１０は、以下のようにして使用される。
連結プラグ刃１２を建物に固定している電源コンセントＯに挿入して、収納箱１ｃを建物の電源コンセントＯに連結する。この状態で、テーブルタップ本体１１は、連結プラグ刃１２を介して電源コンセントＯに電気接続される。開閉蓋８を開いて、テーブルタップ本体１１に、電気機器の外部プラグＰ１を連結する。外部プラグＰ１は、テーブルタップ本体１１のスリット６にプラグ刃Ｂを挿入して連結される。テーブルタップ本体１１には複数の電気機器の外部プラグＰ１を連結することができる。テーブルタップ本体１１に連結している外部プラグＰ１の外部コードＣは、区画室１４に分離して収納される。収納箱１ｃに、外部プラグＰ１とこれに連結している外部コードＣとを収納する状態で、開閉蓋８を閉じると、図１２に示すように、電気機器の外部コードＣは収納箱にスッキリと収納される。
【００３５】
図１０に示す実施例４のテーブルタップ１０ｂは、以下のようにして使用される。
連結プラグＰを建物の電源コンセントＯに挿入して、収納箱１ｃ内のテーブルタップ本体１１に電力を供給する状態とする。このテーブルタップ１０ｂは、収納箱１ｃを電源コンセントＯには連結しないので、邪魔にならない位置に収納箱１ｃを配置する。この状態で、図１１に示すテーブルタップ１０と同じように、開閉蓋８を開き、テーブルタップ本体１１に、電気機器の外部プラグＰ１を連結し、この外部プラグＰ１と外部コードＣを区画室１４に収納して、開閉蓋８を閉じると、図１２に示すように、複数の電気機器の外部コードＣを収納箱１ｃにスッキリと収納できる。
【実施例５】
【００３６】
実施例５に係るテーブルタップ１０ｃを図１３及び図１４に示す。図１３はテーブルタップ１０ｃの内部が可視される斜視図、図１４は外観の斜視図である。このテーブルタップ１０ｃは、電気機器の電源コードを収納する収納箱１ｄを有する。収納箱１ｄ内には、実施例３及び４と同様に、電気機器の複数の外部プラグＰ１と脱着自在に連結できるテーブルタップ本体１１が備わる。実施例３、４に係るテーブルタップ１０、１０ｂは、連結プラグ刃１２或いは電源コードＣ２のどちらか一方のみを有しており、これがテーブルタップ本体１１に電気接続される。一方、実施例５のテーブルタップ１０ｃは、図１３、１４に示すように、電力が供給される媒体として、連結プラグ刃１２ｂ及び電源コードＣ２の両方を有する。ただ、両者とも同時に電源コンセントに電気接続されることはなく、どちらか一方のみがテーブルタップ１０ｃに接続される。つまりテーブルタップ１０ｃは、連結プラグ刃１２ｂと電源コードＣ２を切り変えるスイッチ機能を有する。
【００３７】
さらに図１３に示すように、実施例５の収納箱１ｄは、上部にテーブルタップ本体１１を収納しているが、テーブルタップ本体１１の構造や機能等は実施例３及び４と同様であるため説明を省略する。収納箱１ｄ内は、内部に収納されたテーブルタップ本体１１に、電気機器等に連結された複数の外部プラグＰ１が接続された状態で、外部プラグＰ１に連結した外部コードＣが収納できる箱形としている。また、収納箱１ｄには、外部プラグＰ１と外部コードＣを出し入れできる開口部５を備えており、この開口部５には開閉蓋８を設けている。外部プラグ及び外部コードＣを箱内に収納した状態で、開閉蓋８を閉じた際、外部コードＣが開閉蓋８に挟まれないように、箱の側面には切りかけ部２１を設けている。
【００３８】
また、収納箱１ｄの内部は、図示しないが実施例３及び４と同様に、隔壁でもって区画室を形成し、複数の外部コードＣを分離して収納できるような構造としてもよい。ただ、実施例５の収納箱１ｄでは、箱内において外部コードＣを仮留具１５に係留めした後、箱外へと外部コードＣを引き出している。これにより区画室を形成せずして、各々の外部コードＣを分離させることができる。また、開閉蓋８を開放した際に、外部コードＣが元の形状に復元しようとして、外部コードＣが飛び出すこともない。仮留具１５として、実施例５では金属製の金具を使用したが、外部コードＣを束ねることができるものであれば、その形状及び材質等は特に限定しない。
【００３９】
さらに、図示しないが、連結プラグ刃１２ｂを固定している絶縁体の両端には、連結プラグ刃１２ｂと直交する方向に突出した回転軸が、絶縁体と一体的に設けられており、この回転軸が収納箱１ｂに設置される。これにより、連結プラグ刃１２ｂは回転軸を支軸に回転でき、収納箱１ｄから突出しない状態に折り畳み可能である。また、実施例５の収納箱１ｄでは、折り畳まれた連結プラグ刃１２ｂを挟持して、収納箱１ｄより連結プラグ刃１２ｂを突出させることができるよう、収納箱１ｄにおいて、連結プラグ刃１２ｂが近傍する領域に、切りかけ部２１を形成し、指先が進入可能なスペースを設けた。
【００４０】
以下に実施例５に係るスイッチ機能について図１５及び１６を用いて説明する。図１５は実施例５のテーブルタップ１０ｃに係る回路図である。スイッチ機能は、連結プラグ刃１２ｂを収納箱１ｄ内に折り畳む状態では、テーブルタップ本体１１と連結プラグ刃１２ｂを電気接続しない状態として、電源コードＣ２に接続された連結プラグＰ２を、テーブルタップ本体１１に電気的に接続する。一方、連結プラグ刃１２ｂを、折り畳み位置から９０度回転させて起こした状態では、テーブルタップ本体１１内部の電気回路と、連結プラグ刃１２ｂとを電気接続して、連結プラグＰ２に接続された電源コードＣ２と、テーブルタップ本体１１とを接続しない。すなわち、連結プラグ刃１２ｂの回転位置に応じて、連結プラグ刃１２ｂ或いは連結プラグＰ２のどちらか一方が、テーブルタップ本体１１と電気的に接続され、これを介して電力が供給される。
【００４１】
連結プラグ刃１２ｂの回転位置に応じて、電気的な接続が変化する構造に関して、図１６を使用して説明する。図１６は概略構成図であって、図１６（ａ）は、連結プラグ刃１２ｂが、収納箱１ｄ内に折り畳まれた状態を、図１６（ｂ）は、連結プラグ刃１２ｂが、回転軸を介して約９０度回転され、収納箱１ｄより突出した状態を示す。ただし、図１６は概略図であって、実際の連結プラグ刃１２ｂは一対で構成されている。この各々の連結プラグ刃１２ｂが、同時に切り替えられて、テーブルタップ本体１１と接続する電力供給媒体を選択できる機構を有している。
【００４２】
図１６（ａ）に示すように、連結プラグ刃１２ｂを固定している絶縁体１７の端部には回転軸１６が連結されており、さらに回転軸１６には、軸方向と直交する方向へ突出した突起部１８が設けられている。突起部１８は絶縁物質から構成され、好ましくは連結プラグ刃１２ｂに接続される絶縁体１７と一体的に形成される。これにより部品点数を減らすことができる。また、絶縁体１７において、連結プラグ刃１２ｂと対向する端部には、連結プラグ刃１２ｂの一端が露出した弾性接点１９ａを備える。この弾性接点１９ａは、連結プラグ刃１２ｂの回転と連動する可動型である。一方、テーブルタップ本体１１は、連結プラグ刃１２ｂと電気的に接続可能な第１弾性接点１９ｃ及び、連結プラグＰ２と電気的に接続可能な第２弾性接点１９ｄとに連結されており、第１及び第２弾性接点１９ｃ、１９ｄは定位置に固定される。また、連結プラグＰ２に連結される接点板２０は弾性変形可能な金属板からなる。この接点板２０は、連結プラグＰ２と接続される一端は固定端であって所望の位置に固定されるが、他端は押圧により弾性的に移動できる。また、接点板２０には弾性接点１９ｂを備え、この弾性接点１９ｂは接点板２０の移動に連動する。接点板２０が押圧されない状態では、連結プラグＰ２の弾性接点１９ｂと、テーブルタップ本体１１の第２弾性接点１９ｄとは当接している。つまり連結プラグＰ２とテーブルタップ本体１１とは電気的に接続状態である。
【００４３】
具体的に、図１６（ａ）に示す状態、すなわち連結プラグ刃１２ｂが収納箱１ｄ内に折り畳まれた状態では、連結プラグ刃１２ｂにおける弾性接点１９ａは、テーブルタップ本体１１の第１弾性接点１９ｃを含む全ての弾性接点と当接されない。したがって、連結プラグ刃１２ｂとテーブルタップ本体１１とは導通されない。一方、連結プラグＰ２に接続された弾性接点１９ｂは、テーブルタップ本体１１の第２弾性接点１９ｄと当接しており、これにより連結プラグＰ２とテーブルタップ本体１１とは電気的に接続されている。
【００４４】
また、図１６（ｂ）に示すように、連結プラグ刃１２ｂが、その収納状態を基準にして、回転軸１６でもって約９０度回転すると、収納箱１ｄより突出した状態となる。さらに、連結プラグ刃１２ｂの弾性接点１９ａも約９０度回転するため、連結プラグ刃１２ｂの弾性接点１９ａとテーブルタップ本体１１の第１弾性接点１９ｃとが当接し、導通可能となる。つまり、連結プラグ刃１２ｂとテーブルタップ本体１１とは電気的に接続される。同時に、回転軸１６の回転に連動して、突起部１８が回転軸１６と同方向に約９０度回転する。これに伴って突起部１８が接点板２０を押圧し、接点板２０は弾性変形する。すなわち連結プラグＰ２に接続された弾性接点１９ｂと、テーブルタップ本体１１の第２弾性接点１９ｄとは離間され、導通できなくなる。
【００４５】
上記のことから、実施例５に係るテーブルタップ１０ｃは、連結プラグ刃１２ｂが突出した状態では、連結プラグＰ２を非接続状態として、連結プラグ刃１２ｂを介して電力が供給される。一方、連結プラグ刃１２ｂが折り畳まれた状態では、連結プラグ刃１２ｂを遮断して、連結プラグＰ２でもって電力が供給される構造となる。
【図面の簡単な説明】
【００４６】
【図１】実施例１に係る電源コードの収納箱を示す斜視図である。
【図２】実施例１に係る電源コードの収納箱を示す斜視図である。
【図３】実施例１に係る電源コードの収納箱の使用方法を示す説明図である。
【図４】実施例１に係る電源コードの収納箱の使用方法を示す説明図である。
【図５】実施例１に係る電源コードの収納箱の使用方法を示す説明図である。
【図６】実施例１に係る電源コードの収納箱の使用方法を示す説明図である。
【図７】実施例２に係る電源コードの収納箱を示す斜視図である。
【図８】実施例３に係るテーブルタップを示す斜視図である。
【図９】実施例３に係るテーブルタップを示す斜視図である。
【図１０】実施例４に係るテーブルタップを示す斜視図である。
【図１１】実施例３及び４に係るテーブルタップを示す斜視図である。
【図１２】実施例３及び４に係るテーブルタップを示す斜視図である。
【図１３】実施例５に係るテーブルタップを示す斜視図である。
【図１４】実施例５に係るテーブルタップを示す斜視図である。
【図１５】実施例５に係る概略構成図である。
【図１６】実施例５に係る概略構成図である。
【符号の説明】
【００４７】
１、１ｂ、１ｃ、１ｄ…電源コードの収納箱
２…底板
３…天板
４…下板
５…開口部
６…プラグ刃スリット
６ｂ…プラグ刃長スリット
６ｃ…上面のスリット
６ｄ…側面のスリット
７…コードスリット
８…開閉蓋
１０、１０ｂ、１０ｃ…テーブルタップ
１１…テーブルタップ本体
１２、１２ｂ…連結プラグ刃
１３…隔壁
１４…区画室
１５…仮留具
１６…回転軸
１７…絶縁体
１８…突起部
１９ａ、１９ｂ…弾性接点
１９ｃ…第１弾性接点
１９ｄ…第２弾性接点
２０…接点板
２１…切りかけ部
Ｂ…プラグ刃
Ｃ…電源コード（外部コード）
Ｃ２…電源コード
Ｆ…換気扇
Ｏ…電源コンセント
Ｐ…電源プラグ
Ｐ１…外部プラグ
Ｐ２…連結プラグ
Ｐ３…Ｌ字状のプラグ
【図１】
2008123920.tif 000003
【図２】
2008123920.tif 000004
【図３】
2008123920.tif 000005
【図４】
2008123920.tif 000006
【図５】
2008123920.tif 000007
【図６】
2008123920.tif 000008
【図７】
2008123920.tif 000009
【図８】
2008123920.tif 000010
【図９】
2008123920.tif 000011
【図１０】
2008123920.tif 000012
【図１１】
2008123920.tif 000013
【図１２】
2008123920.tif 000014
【図１３】
2008123920.tif 000015
【図１４】
2008123920.tif 000016
【図１５】
2008123920.tif 000017
【図１６】
2008123920.tif 000018